(57)【要約】【課題】肌や唇に直接当てて化粧料を塗布しても化粧料がずれたり脱落したりせず、その伸び具合や感触をしっかり試すことのできる２種類の化粧料を同時に保持する棒状化粧料容器を提供する。【解決手段】把持部２２と化粧料保持部２４とが形成された本体部２０を備え、上記化粧料保持部２４の平面視輪郭形状が、短軸と長軸を有する略楕円状であり、記化粧料保持部２４の周壁のうち、平面視輪郭形状の短軸方向において互いに対向する部分に、化粧料保持部２４の先端に向かって互いに接近する一対の傾斜面３０、３１が設けられており、上記傾斜面３０、３１のそれぞれに、化粧料保持用凹部３４、３５が形成されている。【選択図】図２
2019013621.tif 000002
【特許請求の範囲】
【請求項１】
一端側に把持部が形成され他端側に化粧料保持部が形成された本体部を備える棒状化粧料容器であって、
上記化粧料保持部の平面視輪郭形状が、短軸と長軸を有する略楕円状であり、
上記化粧料保持部の周面のうち、平面視輪郭形状の短軸方向において互いに対向する部分に、化粧料保持部の先端に向かって互いに接近する一対の傾斜面が設けられており、
上記一対の傾斜面のそれぞれに、傾斜面の周縁部を環状に残した状態で、化粧料保持用凹部が形成されていることを特徴とする棒状化粧料容器。
【請求項２】
上記化粧料保持部の平面視輪郭形状が、短軸の長さ寸法を１とすると長軸の長さ寸法が１．１〜３となるよう設定された略楕円状である請求項１記載の棒状化粧料容器。
【請求項３】
上記一対の傾斜面の、垂直方向に対するそれぞれの傾斜角度θ1、θ2が、１５〜３０°に設定されている請求項１または２記載の棒状化粧料容器。
【請求項４】
上記各傾斜面に形成された化粧料保持用凹部の深さが、０．１〜１．２ｍｍに設定されている請求項１〜３のいずれか一項に記載の棒状化粧料容器。
【請求項５】
上記各傾斜面に形成された化粧料保持用凹部に、０．０５〜０．３ｇの油性化粧料が充填保持されるようになっている請求項１〜４のいずれか一項に記載の棒状化粧料容器。
【発明の詳細な説明】
【技術分野】
【０００１】
本発明は、サンプルとして顧客に配布したり携帯用として販売したりする少量充填タイプの棒状化粧料容器に関するものである。
【０００２】
従来、化粧品会社では、新製品の広告や何らかのキャンペーンを行う場合、新製品やキャンペーンにかかる商品の中身をサンプル分として少量だけ包装した化粧料サンプルを、店頭や街頭で無料配布したり、ダイレクトメールで送付したりすることが多い。
【０００３】
このような化粧料サンプルのうち、口紅やアイシャドウといった油性化粧料のサンプルルとしては、例えば、図９に示すようなカードタイプのものが汎用されている。このものは、厚紙を積層した台紙１において、その表層部分に切欠き穴２を設け、その下層に化粧料３を少量だけ塗工して上記切欠き穴２から露出させ、切欠き穴２の開口をフィルム４で被覆したものである。このサンプルを使用するには、まず、フィルム４を剥がし、内側の化粧料３を化粧チップ等で擦り取って、唇や肌に塗布することが行われる。
【０００４】
しかしながら、化粧料のなかでも口紅は、実際には、スティックタイプの商品が多いため、このようなカードタイプの化粧料サンプルでは、実際に唇にスティックタイプの化粧料を塗布する場合の伸びやすさや肌触りの感触を実感することができず、試供品として十分に満足できるものとは言えない。
【０００５】
一方、図１０に示すように、スティックタイプの口紅化粧料を模した使い捨ての試供用口紅が提案されている（特許文献１を参照）。このものは、実際の商品形状を模した筒状のボディ５の先端に、傾斜した端面６が設けられており、この端面６に、１回ないし数回分の口紅化粧料７が盛られた構造になっている。８はキャップである。
【０００６】
しかしながら、上記のものは、端面６に盛られた口紅化粧料７が、端面６から滑り落ちやすく、これを唇に当てて塗ろうとしても、唇に口紅化粧料７が付着する前に、端面６から浮き上がってずれたり、脱落したりしやすいという問題がある。
【０００７】
そこで、本出願人は、肌や唇に直接当てて化粧料を塗布しても化粧料がずれたり脱落したりせず、その伸び具合や感触をしっかり試すことのできる化粧料サンプルを開発し、すでに出願している（特許文献２を参照）。
【０００８】
このものは、例えば図１１（ａ）およびそのＸ−Ｘ’断面図である図１１（ｂ）に示すように、油性化粧料１３を充填保持する円筒状の胴体部１４と、四角筒状の袴部１４ａとを有する樹脂ケース１１を備え、その天面部１２が、胴体部１４に対し斜めに傾斜している。そして、天面部１２の周囲には、浅い環状壁１５が形成されており、天面部１２に保持された油性化粧料１３が、この環状壁１５によって抜け止めされている。
【先行技術文献】
【特許文献】
【０００９】
【特許文献１】実用新案登録第３０６８２８７号公報
【特許文献２】特開２０１６−４３１７９号公報
【発明の概要】
【発明が解決しようとする課題】
【００１０】
上記化粧料サンプル１０は、油性化粧料１３が少量でありながら、実際の商品のように肌や唇に直接当てて使用することができ、使い勝手のよいものであるが、例えば色の異なる複数の化粧料サンプルを用意しようとすれば、色の数だけ化粧料サンプルが必要となる。このため、ダイレクトメールで送付することや携帯して使用することを考慮すれば、よりコンパクトな構成にすることが望まれている。
【００１１】
本発明は、このような事情に鑑みなされたもので、肌や唇に直接当てて化粧料を塗布する際の使用感が良好で、しかも、２種類の化粧料（同一の化粧料を２つに分けて個別に保持する場合を含む、以下同じ）をコンパクトに保持することのできる、優れた棒状化粧料容器の提供を、その目的とする。
【課題を解決するための手段】
【００１２】
上記の目的を達成するため、本発明は、一端側に把持部が形成され他端側に化粧料保持部が形成された本体部を備える棒状化粧料容器であって、上記化粧料保持部の平面視輪郭形状が、短軸と長軸を有する略楕円状であり、上記化粧料保持部の周面のうち、平面視輪郭形状の短軸方向において互いに対向する部分に、化粧料保持部の先端に向かって互いに接近する一対の傾斜面が設けられており、上記一対の傾斜面のそれぞれに、傾斜面の周縁部を環状に残した状態で、化粧料保持用凹部が形成されている棒状化粧料容器を第１の要旨とする。
【００１３】
また、本発明は、そのなかでも、特に、上記化粧料保持部の平面視輪郭形状が、短軸の長さ寸法を１とすると長軸の長さ寸法が１．１〜３となるよう設定された略楕円状である棒状化粧料容器を第２の要旨とし、上記一対の傾斜面の、垂直方向のそれぞれの傾斜角度θ1、θ2が、１５〜３０°に設定されている棒状化粧料容器を第３の要旨とする。
【００１４】
さらに、本発明は、それらのなかでも、特に、上記各傾斜面に形成された化粧料保持用凹部の深さが、０．１〜１．２ｍｍに設定されている棒状化粧料容器を第４の要旨とし、上記各傾斜面に形成された化粧料保持用凹部に、０．０５〜０．３ｇの油性化粧料が充填保持されるようになっている棒状化粧料容器を第５の要旨とする。
【発明の効果】
【００１５】
本発明の棒状化粧料容器は、従来の簡易な化粧料サンプルが、本体部の天面に設けられた単一の傾斜面に化粧料を保持していた（例えば図１０、図１１を参照）のに対し、本体部に設けられた化粧料保持部に、その先端に向かって互いに接近する一対の傾斜面を設けて、それぞれの傾斜面に化粧料保持用凹部を形成したものである。
【００１６】
この構成によれば、上記一対の傾斜面に設けられた化粧料保持用凹部のそれぞれに、化粧料を少量ずつ保持させることができるため、色や種類の異なる２つの化粧料を同時に保持して化粧料サンプルとして配布したり、携帯用として販売したりすることができる。そして、各傾斜面に保持された化粧料の周囲は、凹部開口縁として環状に残された傾斜面の周縁部によって囲われているため、その内側に保持された化粧料の表面を、直接肌や唇につけて伸ばしても、化粧料全体がずれたり脱落したりすることがない。したがって、一般的なスティックタイプの化粧料容器を使用する場合と同様の動作で、この化粧料保持部に保持された化粧料を肌や唇に塗布することができ、化粧料の色味と使用感を実感することができる。
【００１７】
また、本発明の棒状化粧料容器では、２つの化粧料を保持するので、上記傾斜面それぞれの化粧料保持用凹部内に保持する化粧料の量が少量となるおそれがある。しかし、本発明では、凹部の開口面積を十分確保するために、化粧料保持部の平面視輪郭形状を、短軸と長軸を有する略楕円状としている。すなわち、化粧料保持部の平面視輪郭形状を、例えば真円とすると、使用しやすい傾斜角度の範囲内では、どうしても凹部の形成面積が限られてしまう。そこで、本発明では、上記化粧料保持部の平面視輪郭形状を略楕円状とし、その短軸方向において互いに対向する部分に、一対の傾斜面を形成することによって、十分な開口面積をもつ凹部を形成することができ、２つの傾斜面において、１回〜数回の使用が可能な量の化粧料を保持することができる。
【００１８】
なお、本発明において、「短軸と長軸を有する略楕円状」とは、数学的に定義される楕円形だけでなく、長円形、オーバル形、角がアールに丸められた菱形や長方形等、直交する２つの軸の一方が短軸、他方が長軸として区別することができる、円や円に近い形のものが長軸方向に延びた様々な形状を含む趣旨である。
【００１９】
そして、本発明のなかでも、特に、上記化粧料保持部の平面視輪郭形状が、短軸の長さ寸法を１とすると長軸の長さ寸法が１．１〜３となるよう設定された略楕円状である棒状化粧料容器は、とりわけ、化粧料保持用凹部の開口面積を十分に確保することができ、使用時の使い勝手も良好となるため、好適である。
【００２０】
また、本発明のなかでも、特に、上記一対の傾斜面の、垂直方向のそれぞれの傾斜角度θ1、θ2が、１５〜３０°に設定されている棒状化粧料容器も、上記と同様の理由から、とりわけ好適である。
【００２１】
さらに、本発明のなかでも、特に、上記各傾斜面に形成された化粧料保持用凹部の深さが、０．１〜１．２ｍｍに設定されている棒状化粧料容器は、とりわけ、化粧料保持性能に優れ、好適である。
【００２２】
そして、本発明のなかでも、特に、上記各傾斜面に形成された化粧料保持用凹部に、０．０５〜０．３ｇの油性化粧料が充填保持されるようになっている棒状化粧料容器は、とりわけ、１個の容器で、数回分の使用が可能な量の化粧料を２種類、同時に保持することができるため、２種類の化粧料を同時に試すことのできる化粧料サンプルとして店頭で配布したりダイレクトメールで送付したりするのに便利である。また、携帯や保管にも便利である。
【図面の簡単な説明】
【００２３】
【図１】本発明の一実施の形態を示す斜視図である。
【図２】（ａ）は上記実施の形態に用いられる本体部の正面図、（ｂ）は（ａ）の右側面図、（ｃ）は（ａ）の背面図、（ｄ）は（ａ）の平面図である。
【図３】（ａ）は図２（ｄ）のＡ−Ａ'断面図、（ｂ）は図２（ｄ）のＢ−Ｂ'断面図、（ｃ）は（ｂ）の要部拡大図である。
【図４】上記実施の形態における化粧料の充填方法の説明図である。
【図５】（ａ）は本発明の他の実施の形態を示す斜視図、（ｂ）は（ａ）に示す実施の形態における化粧料の充填方法の説明図である。
【図６】（ａ）、（ｂ）は、ともに本発明のさらに他の実施の形態を示す斜視図である。
【図７】本発明の他の実施の形態を示す正面図である。
【図８】（ａ）、（ｂ）は、ともに本発明の一連の実施の形態における化粧料保持用凹部の底面形状の変形例を示す部分断面拡大図である。
【図９】従来の化粧料サンプルの一例を示す斜視図である。
【図１０】従来の化粧料サンプルの他の例を示す断面図である。
【図１１】（ａ）は従来の化粧料サンプルのさらに他の例を示す斜視図、（ｂ）は（ａ）のＸ−Ｘ'断面図である。
【発明を実施するための形態】
【００２４】
つぎに、本発明を実施するための形態について説明する。ただし、本発明は、以下の実施の形態に限定されるものではない。
【００２５】
図１は、本発明の一実施の形態である棒状化粧料容器を示している。すなわち、この棒状化粧料容器は、少量の化粧料を簡易的に保持する化粧料サンプル用もしくは携帯用の容器であって、縦長の中空一体成形体からなる本体部２０と、この本体部２０に着脱自在に係合する有天筒状のキャップ２１とを備えている。
【００２６】
上記本体部２０、キャップ２１は、ともにアクリロニトリル−スチレン共重合樹脂（ＡＳ）からなり、射出成形による一体成形品である。ただし、成形方法および材料樹脂の種類は、これに限るものではなく、本体部２０、キャップ２１の形状に成形できれば、どのような製法、材料によっても差し支えない。
【００２７】
より詳しく説明すると、上記本体部２０は、その正面図である図２（ａ）、その右側面図である図２（ｂ）、その背面図である図２（ｃ）、その平面図である図２（ｄ）に示されているとおり、円筒状の把持部２２と、この把持部２２の上面から上向きに突出する円筒状の中間部２３と、この中間部２３の上面から上向き略ドーム状に突出する化粧料保持部２４とを備えている。なお、図３（ａ）は図２（ｄ）のＡ−Ａ'断面図、図３（ｂ）は図２（ｄ）のＢ−Ｂ'断面図である。
【００２８】
上記把持部２２は、使用時に、指で把持するための部分で、この例では、直径１６ｍｍ、高さ１５ｍｍの円筒状である。また、その上の中間部２３は、上記把持部２２よりも一回り小さく縮径されており、把持部２２との境界部分に、幅１．５ｍｍの段差面２５が形成されている。なお、この段差面２５に、キャップ２１（図１参照）の下端面が当接するようになっている。
【００２９】
そして、上記中間部２３の周面には、上記キャップ２１と本体部２０との位置合わせのために、その正面中央に、上下方向に延びる幅の細い第１の突条２３ａが設けられ、同じくその背面中央に、上下方向に延びる幅の太い第２の突条２３ｂが設けられている。一方、キャップ２１の周壁下端部には、図１に示すように、上記第１の突条２３ａと第２の突条２３ｂのそれぞれと嵌合する、幅の異なる２本のスリット２１ａ、２１ｂが設けられている。これら両者の嵌合により、互いの正面と背面を取り違えることなく、正確にキャップ２１を被せることができる。
【００３０】
また、上記中間部２３の周面には、周方向に４等配の配置で、上下方向に延びる４本の小さなリブ２６が設けられている。これらのリブ２６は、本体部２０とキャップ２１との嵌合時に、キャップ２１を内側から押圧して、キャップ２１を抜け止めする作用を果たす。ただし、これらの、本体部２０とキャップ２１の係合構造は、この例に限るものではなく、両者が着脱自在に係合する構造になっていれば、特に限定するものではない。
【００３１】
上記中間部２３の上面から突出する略ドーム状の化粧料保持部２４は、その下部２７の、正面から見える幅が上記中間部２３の幅に等しく［図２（ａ）を参照］、側面から見える幅が上記中間部２３の幅よりも狭くなっており［図２（ｂ）を参照］、図２（ｄ）に示すように、その平面視輪郭形状が、前後方向を短軸方向とし、左右方向を長軸方向とする楕円状になっている。
【００３２】
そして、上記化粧料保持部２４の上部２８は、上下方向にやや長く伸びた中空略半球状になっており、その中空略半球状の周壁のうち、正面側と背面側の部分、すなわち、平面視輪郭形状の短軸方向において互いに対向する部分に、化粧料保持部２４の先端に向かって互いに接近する一対の傾斜面３０、３１が設けられている。
【００３３】
上記２つの傾斜面３０、３１は、斜面の上下方向に沿ってやや長く伸びた楕円形状になっており、図３（ｃ）に示すように、傾斜面３０、３１のそれぞれに、その周縁部３２、３３を環状に残した状態で、化粧料保持用凹部３４、３５が形成されている。
【００３４】
上記化粧料保持用凹部３４、３５の底面は、傾斜面３０、３１と平行な傾斜面になっており、化粧料保持用凹部３４、３５の内周面は、下端部［図３（ｃ）においてＰで示す］では略水平に形成され、上端部［図３（ｃ）においてＱで示す］は、成形時の型抜きを考慮して略垂直に形成されている。そして、上記化粧料保持用凹部３４、３５内に、図３（ｃ）において一点鎖線で示すように、化粧料を層状に充填した状態で、顧客に提供することができる。
【００３５】
なお、上記化粧料保持用凹部３４、３５に化粧料を充填する方法は、特に限定するものではないが、例えば、図４に示すように、まず、この本体部２０を、上記化粧料保持用凹部３４が形成された傾斜面３０が水平となる傾斜姿勢で保持し、第１の化粧料充填ノズル５０の下に位置決めする。そして、上記第１の化粧料充填ノズル５０から、加熱によって流動性が高められた第１の化粧料を滴下して、化粧料保持用凹部３４内に充填する。滴下された化粧料は、化粧料保持用凹部３４内で層状に広がり、表面張力によってやや盛り上がった状態で固化し、保持される。
【００３６】
つぎに、上記本体部２０を１８０°回転させて、反対側の、化粧料保持用凹部３５が形成された傾斜面３１が水平となる傾斜姿勢で保持し、上記第１の化粧料とは異なる第２の化粧料を充填するための第２の化粧料充填ノズル（図示せず）の下に位置決めして、上記と同様にして、第２の化粧料の充填を行う。このようにして、化粧料保持用凹部３４、３５に、２種類の化粧料をそれぞれ充填保持することができる。そして、この本体部２０にキャップ２１を被せることによって、目的とする棒状化粧料容器を得ることができる（図１参照）。
【００３７】
なお、上記棒状化粧料容器は、そのままの状態で店頭に陳列してテスターとして用いることもできるが、簡易な二つ折りのブリスターパックによる包装や、シュリンク包装、あるいは単純な袋詰め等によって、簡単に包装することができる。
【００３８】
このようにして化粧料が充填保持された棒状化粧料容器によれば、１本の棒状容器に２種類の化粧料が保持されているため、例えば色の異なる口紅化粧料を２種類組み合わせたものや、同じ口紅化粧料であってもリップカラーとリップグロスというように異なる種類の化粧料を組み合わせたものを、１本のコンパクトな棒状容器として提供することができる。したがって、２種類の化粧料を化粧料サンプルとして配布したりダイレクトメールで送付したりする場合に、嵩張らず、取り扱いやすい。また、お試し用、携帯用として少量で販売する商品としても、その保管や携帯に嵩張らないため、好適である。
【００３９】
しかも、この棒状化粧料容器によれば、この棒状化粧料容器の把持部２２を指で持ち、化粧料保持部２４の、傾斜面３０、３１に保持された化粧料を唇や肌に押し当ててずらすだけで、実際のスティックタイプの化粧料を塗布する場合と同様にして、化粧料の色や伸びを試すことができる。このとき、化粧料保持用凹部３４、３５に保持された化粧料は、環状の残された傾斜面３０、３１の周縁部３２、３３［図３（ｃ）を参照］によって、その内側に、安定した状態で保持される。したがって、本体部２０を横にずらしても、化粧料自身にずれや脱落が生じることがなく、これをスムーズに塗布することができる。
【００４０】
なお、本発明において、化粧料保持部２４に設けられる２つの化粧料保持用凹部３４、３５のそれぞれには、保持された化粧料を、直接唇や肌に当てて塗布することができ、１回〜数回分の少量の化粧料を保持することができるようになっていることが重要である。そのためには、化粧料の種類にもよるが、化粧料が、例えば油性化粧料である場合、各化粧料保持用凹部３４、３５内に、０．０５〜０．３ｇ、なかでも、０．１〜０．２ｇ程度の化粧料が保持されていることが好適である。
【００４１】
そして、上記化粧料保持用凹部３４、３５の開口面積は、どちらの面でも直接唇や肌に当てて化粧料を塗布することができ、かつ１回〜数回分の化粧料を保持させるために、できるだけ大きくすることが好ましい。そして、上記化粧料保持用凹部３４、３５の深さは、０．１〜１．２ｍｍ程度に設定することが好適である。
【００４２】
本発明では、上記化粧料保持用凹部３４、３５の開口面積をできるだけ大きくするために、化粧料保持部２４の平面視輪郭形状を略楕円状にして、化粧料保持部２４の傾斜面３０、３１が広くとれるようにしている。とりわけ、上記略楕円状の形状において、その短軸の長さ寸法［図２（ｄ）においてＳで示す］を１とすると、その長軸の長さ寸法［図２（ｄ）においてＬで示す］が１．１〜３となるよう設定することが、上記化粧料保持用凹部３４、３５の開口面積を大きくする上で好ましい。この割合は、以下に述べる、化粧料保持部２４に形成される一対の傾斜面３０、３１のなす角度［図３（ｃ）においてθで示す］にもよるが、例えば、上記角度θが、その好適な範囲である３０〜６０°である場合、上記Ｓ：Ｌを、１：１．１５〜２に設定することが、とりわけ好適である。ちなみに、上記の例では、化粧料保持部２４の一対の傾斜面３０、３１のなす角度θは４５°で、化粧料保持部２４の平面視輪郭形状における短軸の長さ寸法Ｓは１１ｍｍ、同じく長軸の長さ寸法Ｌは１３ｍｍに設定されている。
【００４３】
すなわち、化粧料保持部２４に形成される一対の傾斜面３０、３１の垂直方向に対する傾斜角度θ1、θ2［図３（ｃ）を参照、なお、図において、「垂直方向」を鎖線Ｅで示す］は、小さすぎると、非傾斜部分である化粧料保持部２４の下部２７と傾斜面３０、３１との傾きの差が小さくなって、肌等への塗布時に把持部２２を持つ指が肌等に当たって化粧しにくくなるおそれがある。しかも、化粧料保持用凹部３４、３５の開口面積が一定の場合、傾斜面３０、３１が軸方向に長く延びるため、本体部２０とキャップ２１が軸方向に長くなり、嵩高いものとなる点においても好ましくない。
【００４４】
また、逆に、それらの傾斜角度θ1、θ2が大きすぎると、化粧料保持用凹部３４、３５の開口面積が一定の場合、本体部２０の径が大きくなりすぎる。一方、本体部２０の径を一定にすると、せっかく化粧料保持部２４の平面視輪郭形状を略楕円状にしても、傾斜面３０、３１の面積が小さくなり、化粧料保持用凹部３４、３５の開口面積を十分にとれないおそれがある。このような観点から、化粧料保持部２４に形成される一対の傾斜面３０、３１の、垂直方向に対するそれぞれの角度θ1、θ2は、１５〜３０°であることが好適である。
【００４５】
なお、上記の例では、θ1＝θ2＝θ／２、の関係式が成り立つが、傾斜面３０、３１の、垂直方向に対するそれぞれの傾斜角度θ1、θ2は、互いに異なっていてもよい。
【００４６】
また、上記化粧料保持用凹部３４、３５の開口形状は、上記の例のように、上下方向に延びる略楕円状であること（図２等を参照）が、化粧料をきれいに充填できる点、保持された化粧料の見栄えの点、化粧のしやすさの点で、好適である。このような略楕円状を得るには、化粧料保持部２４の上部２８を、略半球状に丸めていることが望ましい。ちなみに、化粧料保持部２４の上部２８の略半球状の先端における正面からみた曲率半径［図２（ａ）においてＲ1で示す］は、４ｍｍであり、同じくその頂点における側面からみた曲率半径［図２（ｂ）においてＲ2で示す］は、２．８ｍｍである。
【００４７】
さらに、図１に示す例では、キャップ２１の天面を平坦な形状としたが、例えば図６（ａ）に示すように、本体部２０に被せるキャップ４１の天面４１ａを、ドーム状に丸くしてもよい。ドーム状にすると、キャップ部分の容積が小さくなるため、全体としてよりコンパクトな形状となり、好適である。
【００４８】
また、図１に示す例や、上記図６（ａ）に示す例では、本体部２０にキャップ２１、４１を被せた全体形状を略円柱状にしたが、例えば、図６（ｂ）に示すように、本体部４０において、化粧料保持部２４の形状はそのままで、把持部４２と中間部４３、そしてキャップ４４の形状をいずれも角張ったものにして、全体形状を略角柱状にしてもよい。この形状は円柱状のものより嵩高くなるが、本体部４０とキャップ４４を安定して立てることができ、またこれらが転がって落下することもないという点で好適である。
【００４９】
さらに、本発明の他の例として、例えば、図７に示すように、本体部４５において、把持部５２の両側に、中間部５３と化粧料保持部５４をそれぞれ設け、各化粧料保持部５４に２種類、合計４種類の化粧料を保持できるようにすることもできる。この容器によれば、従来、色や種類の異なる４種類の化粧料を用意するには、４本の棒状化粧料容器が必要であったところ、１本の容器ですむため、ポーチ等に入れて携帯したり、化粧料サンプルとしてダイレクトメール等に用いたりするのに非常に便利である。
【００５０】
そして、上記一連の例において、化粧料保持部２４（５４を含む、以下同じ）に設けられる化粧料保持用凹部３４、３５の底面形状は、必ずしも平坦である必要はない。例えば、図８（ａ）に示すように、凹んだ湾曲面にしたり、図８（ｂ）に示すように、底面をシボ状や凹凸溝によって粗面にしたりすることができる。これらの形状にすると、化粧料の粘性が比較的少ないものであっても、化粧料がずれたり脱落したりするおそれがなく、好適である。また、上記化粧料保持部２４自体も、上記一連の例のように略ドーム状である必要はなく、その形状は適宜に設定することができる。
【００５１】
さらに、上記一連の例において、図５（ａ）に示すように、キャップ２１の、本体部２０側の化粧料保持用凹部３４、３５に対峙する部分に、それぞれ穴６０をあけておき、図５（ｂ）に示すように、キャップ２１を締めたままで、この穴６０から化粧料を滴下充填するようにしてもよい。この充填方法によれば、製造効率がよい。そして、上記キャップ２１の穴６０は、化粧料充填後、小さな丸いシールでそれぞれ塞いだり、帯状のシールを周方向に巻いて同時に塞いだりすることができる。これらのシールに、色番号等の表示を付与してもよい。
【００５２】
そして、上記一連の例では、本体部２０に対してキャップ２１を着脱自在に被覆する構成としたが、キャップ２１は必ずしも必要ではない。例えば、本体部２０のみからなる棒状化粧料容器を、別途用意されるブリスターパック等に、直接収納してもよい。
【００５３】
なお、本発明において、化粧料保持用凹部３４、３５に保持させる化粧料としては、リップカラー、リップグロス等の口紅化粧料の他、アイカラー、チークカラー、フェイスカラー、フェイスシャドウ、コンシーラー等、各種の油性化粧料を好適に用いることができる。
【産業上の利用可能性】
【００５４】
本発明は、２種類の化粧料を同時に保持することのできる、簡易な棒状化粧料容器として利用することができる。
【符号の説明】
【００５５】
２０  本体部
２２  把持部
２４  化粧料保持部
３０、３１  傾斜面
３４、３５  化粧料保持用凹部
【図１】
2019013621.tif 000003
【図２】
2019013621.tif 000004
【図３】
2019013621.tif 000005
【図４】
2019013621.tif 000006
【図５】
2019013621.tif 000007
【図６】
2019013621.tif 000008
【図７】
2019013621.tif 000009
【図８】
2019013621.tif 000010
【図９】
2019013621.tif 000011
【図１０】
2019013621.tif 000012
【図１１】
2019013621.tif 000013